(57)【要約】      （修正有）【課題】しきい値管理の精度を向上させて、工程管理を確実に行う。【解決手段】工程に関する複数の値からなるデータ集合を受け取ることができる。前記複数の値からなるデータ集合は連続時間にわたり工程が実行されている間に測定された複数の値に該当する。前記方法はさらに複数の値からなる第一のデータ部分集合に対して第一の統計計算を行うことを含む。前記第一のデータ部分集合の複数の値は、受け取ったすべての値からなる前記データ集合の一つの部分集合である。前記第一のデータ部分集合の複数の値は、前記連続時間の第一の時間フレーム中のデータに該当する。前記方法はさらに、前記工程を実行することが第一しきい値基準線を超えるか否かを判定する。前記第一しきい値基準線は前記第一統計計算に基づく。前記方法はさらに、前記工程が前記第一しきい値基準線を超えた場合、第一の警告をユーザーに送信することを含む。【選択図】図１
2016020909.tif 000002
【特許請求の範囲】
【請求項１】
プロセッサが実行する方法であって、
工程に関する複数の値からなるデータ集合であって、連続時間にわたり前記工程が実行されている間に測定された複数の値に該当する複数の値からなるデータ集合を受け取り、
受け取ったすべての値からなる前記データ集合の一つの部分集合である、複数の値からなる第一のデータ部分集合であって、前記第一のデータ部分集合の複数の値は、前記連続時間の第一の時間フレーム中のデータに該当する前記第一のデータ部分集合に対して第一の統計計算を行い、
前記第一の統計計算の第一の計算結果を表示し、
前記工程を実行することが前記第一統計計算に基づく第一しきい値基準線を超えるか否かを判定し、
前記工程が前記第一しきい値基準線を超えた場合、第一の警告をユーザーに送信する方法。
【請求項２】
請求項１に記載した方法であって、
前記した複数の値からなるデータ集合を受け取ることは、前記連続時間にわたって周期的にサンプリングされた数値を受け取ることに該当する方法。
【請求項３】
請求項１に記載した方法であって、さらに
受け取ったすべての値からなる前記データ集合の一つの部分集合である、複数の値からなる第二のデータ部分集合であって、前記第二のデータ部分集合の複数の値は、前記連続時間の第二の時間フレーム中のデータに該当する前記第二のデータ部分集合に対して第二の統計計算を行い、
前記第二の統計計算の第二の計算結果を表示し、
前記工程を実行することが前記第二統計計算に基づく第二しきい値基準線を超えるか否かを判定し、
前記工程が前記第二しきい値基準線を超えた場合、第二の警告をユーザーに送信する方法。
【請求項４】
請求項１に記載した方法であって、さらに
前記連続時間の第一の時間フレーム中に各値が発生する頻度を表す第一の分布を表示する方法。
【請求項５】
請求項１に記載した方法であって、さらに
前記連続時間の第二の時間フレーム中に各値が発生する頻度を表す第二の分布を表示する方法。
【請求項６】
少なくとも一つのプロセッサと、
コンピュータプログラムコードを含む少なくとも一つのメモリと、を有する装置であって、
前記少なくとも一つのメモリと前記コンピュータプログラムコードとは、前記少なくとも一つのプロセッサとともに、前記装置に指示して前記装置が、
工程に関する複数の値からなるデータ集合であって、連続時間にわたり工程が実行されている間に測定された複数の値に該当する複数の値からなるデータ集合を受け取り、
受け取ったすべての値からなる前記データ集合の一つの部分集合である、複数の値からなる第一のデータ部分集合であって、前記第一のデータ部分集合の複数の値は、前記連続時間の第一の時間フレーム中のデータに該当する前記第一のデータ部分集合に対して第一の統計計算を行い、
前記第一の統計計算の第一の計算結果を表示し、
前記工程を実行することが前記第一統計計算に基づく第一しきい値基準線を超えるか否かを判定し、
前記工程が前記第一しきい値基準線を超えた場合、第一の警告をユーザーに送信する装置。
【請求項７】
請求項６に記載した装置であって、
前記複数の値からなるデータ集合を受け取ることは前記連続時間にわたって周期的にサンプリングされた数値を受け取ることに該当する装置。
【請求項８】
請求項６に記載した装置であって、
前記装置はさらに指示を受けて、
受け取ったすべての値からなる前記データ集合の一つの部分集合である、複数の値からなる第二のデータ部分集合であって、前記第二のデータ部分集合の複数の値は前記連続時間の第二の時間フレーム中のデータに該当する前記第二のデータ部分集合に対して第二の統計計算を行い、
前記第二の統計計算の第二の計算結果を表示し、
前記工程を実行することが前記第二統計計算に基づく第二しきい値基準線を超えるか否かを判定し、
前記工程が前記第二しきい値基準線を超えた場合、第二の警告をユーザーに送信する装置。
【請求項９】
請求項６に記載した装置であって、
前記装置はさらに指示を受けて、
前記連続時間の第一の時間フレーム中に各値が発生する頻度を表す第一の分布を表示する装置。
【請求項１０】
請求項６に記載した装置であって、
前記装置はさらに指示を受けて、
前記連続時間の第二の時間フレーム中に各値が発生する頻度を表す第二の分布を表示する装置。
【請求項１１】
不揮発性のコンピュータが読み取り可能な媒体に具現されたコンピュータプログラムであって、プロセッサを制御して、プロセッサが、
工程に関する複数の値からなるデータ集合であって、連続時間にわたり工程が実行されている間に測定された複数の値に該当する複数の値からなるデータ集合を受け取り、
受け取ったすべての値からなる前記データ集合の一つの部分集合である、複数の値からなる第一のデータ部分集合であって、前記第一のデータ部分集合の複数の値は、前記連続時間の第一の時間フレーム中のデータに該当する前記第一のデータ部分集合に対して第一の統計計算を行い、
前記第一の統計計算の第一の計算結果を表示し、
前記工程を実行することが前記第一統計計算に基づく第一しきい値基準線を超えるか否かを判定し、
前記工程が前記第一しきい値基準線を超えた場合、第一の警告をユーザーに送信することを含むプロセスを実行するコンピュータプログラム。    
【請求項１２】
請求項１１に記載したコンピュータプログラムであって、
前記した複数の値からなるデータ集合を受け取ることは前記連続時間にわたって周期的にサンプリングされた数値を受け取ることに該当するコンピュータプログラム。
【請求項１３】
請求項１１に記載したコンピュータプログラムであって、前記プロセスはさらに、
受け取ったすべての値からなる前記データ集合の一つの部分集合である、複数の値からなる第二のデータ部分集合であって、前記第二のデータ部分集合の複数の値は前記連続時間の第二の時間フレーム中のデータに該当する前記第二のデータ部分集合に対して第二の統計計算を行い、
前記第二の統計計算の第二の計算結果を表示し、
前記工程を実行することが前記第二統計計算に基づく第二しきい値基準線を超えるか否かを判定し、
前記工程が前記第二しきい値基準線を超えた場合、第二の警告をユーザーに送信することを含むコンピュータプログラム。
【請求項１４】
請求項１１に記載したコンピュータプログラムであって、前記プロセスはさらに、
前記連続時間の第一の時間フレーム中に各値が発生する頻度を表す第一の分布を表示することを含むコンピュータプログラム。
【請求項１５】
請求項１１に記載したコンピュータプログラムであって、前記プロセスはさらに、
前記連続時間の第二の時間フレーム中に各値が発生する頻度を表す第二の分布を表示することを含むコンピュータプログラム。
【請求項１６】
工程に関する複数の値からなるデータ集合であって、連続時間にわたり工程が実行されている間に測定された複数の値に該当する複数の値からなるデータ集合を受け取る受信手段と、
受け取ったすべての値からなる前記データ集合の一つの部分集合である、複数の値からなる第一のデータ部分集合であって、前記第一のデータ部分集合の複数の値は前記連続時間の第一の時間フレーム中のデータに該当する前記第一のデータ部分集合に対して第一の統計計算を行う第一の実行手段と、
前記第一の統計計算の第一の計算結果を表示する第一の表示手段と、
前記工程を実行することが前記第一統計計算に基づく第一しきい値基準線を超えるか否かを判定する第一の判定手段と、
前記工程が前記第一しきい値基準線を超えた場合、第一の警告をユーザーに送信する第一の送信手段と、を有する装置。
【請求項１７】
請求項１６に記載した装置であって、
前記した複数の値からなるデータ集合を受け取ることは前記連続時間にわたって周期的にサンプリングされた数値を受け取ることに該当する装置。
【請求項１８】
請求項１６に記載した装置であって、
受け取ったすべての値からなる前記データ集合の一つの部分集合である、複数の値からなる第二のデータ部分集合であって、前記第二のデータ部分集合の複数の値は前記連続時間の第二の時間フレーム中のデータに該当する前記第二のデータ部分集合に対して第二の統計計算を行う第二の実行手段と、
前記第二の統計計算の第二の計算結果を表示する第二の表示手段と、
前記工程を実行することが前記第二統計計算に基づく第二しきい値基準線を超えるか否かを判定する第二の判定手段と、
前記工程が前記第二しきい値基準線を超えた場合、第二の警告をユーザーに送信する第二の送信手段と、をさらに有する装置。
【請求項１９】
請求項１６に記載した装置であって、
前記連続時間の第一の時間フレーム中に各値が発生する頻度を表す第一の分布を表示する第三の表示手段をさらに有する装置。
【請求項２０】
請求項１６に記載した装置であって、
前記連続時間の第二の時間フレーム中に各値が発生する頻度を表す第二の分布を表示する第四の表示手段をさらに有する装置。
【発明の詳細な説明】
【技術分野】
【０００１】
本願発明の実施形態は、受け取った測定値に基づいてしきい値基準線を決定し、決定したしきい値基準線を用いて受け取った測定値を分析することに関するものである。
【背景技術】
【０００２】
一般的に、しきい値基準線は一つの状態から別の状態への変化を定める基準として役立つ少なくとも一つの基準値と考えることができる。例えば、しきい値基準線によって、「望ましくない」状態と「望ましい」状態とを区別し、「制御されていない」状態と「制御された」状態とを区別し、または「異常な」状態と「正常な」状態とを区別することができる。ユーザーは工程の測定値がしきい値基準線を超えたか否かを監視できる。このようにすれば、測定値の各々が該当する状態を区別することにより、しきい値基準線を用いて工程での測定値を分析することができる。しきい値基準線にしたがって工程を監視し、制御することにより、例えば、確実に工程が望ましいレベルで稼働するようにすることができる。
【発明の概要】
【０００３】
第１実施形態によれば、本願発明の方法はプロセッサが工程に関する複数の値からなるデータの集合を受け取ることを含むものでよい。前記工程に関する複数の値からなるデータの集合は、連続時間にわたり前記工程が実行されている間に測定された複数の値に該当する。前記方法は、複数の値からなる第一のデータ部分集合に対して第一の統計計算を行うことを含むものでよい。前記第一の部分集合の複数の値は、受け取ったすべての値からなる前記データ集合の一つの部分集合である。前記第一のデータ部分集合の複数の値は、前記連続時間の第一の時間フレーム中のデータに該当するものである。前記方法はさらに前記第一の統計計算の第一の計算結果を表示することを含むものでよい。前記方法はさらに前記工程を実行することが第一しきい値基準線を超えるか否かを判定することを含むものでよい。前記第一しきい値基準線は、前記第一の統計計算に基づくものである。前記方法はさらに前記工程が前記第一しきい値基準線を超えた場合、第一の警告をユーザーに送信することを含むものでよい。
【０００４】
前記第一実施形態の前記方法において、前記した複数の値からなるデータの集合を受け取ることは、前記連続時間にわたり周期的にサンプリングした数値を受け取ることに該当する。
【０００５】
前記第一実施形態の前記方法において、前記方法はさらに複数の値からなる第二の部分集合に対して第二の統計計算を行うことを含むものでよい。前記第二の部分集合の複数の値は、受け取ったすべての値からなる前記データ集合の一つの部分集合であり、前記第二のデータ部分集合の複数の値は、前記連続時間の第二の時間フレーム中のデータに該当するものである。前記方法はさらに前記第二の統計計算の第二の計算結果を表示することを含むものでよい。前記方法はさらに前記工程を実行することが第二しきい値基準線を超えるか否かを判定することを含むものでよい。前記第二しきい値基準線は、前記第二の統計計算に基づくものである。前記方法はさらに前記工程が前記第二しきい値基準線を超えた場合、第二の警告をユーザーに送信することを含むものでよい。
【０００６】
前記第一実施形態の前記方法において、前記方法はさらに第一の分布を表示するものでよい。前記第一の分布は、前記連続時間の前記第一の時間フレーム内に各値が発生する頻度を図説する。
【０００７】
前記第一実施形態の前記方法において、前記方法はさらに第二の分布を表示するものでよい。前記第二の分布は、前記連続時間の前記第二の時間フレーム内に各値が発生する頻度を図説する。
【０００８】
第二実施形態による装置は少なくとも一つのプロセッサを含むものでよい。前記装置はさらに計算機プログラムコードを含むメモリを少なくとも一つ含むものでよい。前記少なくとも一つのメモリと前記計算機プログラムコードとは、前記少なくとも一つのプロセッサとともに、工程に関する値のデータ集合を装置に受け取らせる。前記工程に関する複数の値からなるデータの集合は、連続時間にわたり工程が実行されている間に測定された複数の値に該当する。さらに複数の値からなる第一のデータ部分集合に対して第一の統計計算を前記装置に実行させる。前記第一のデータ部分集合の複数の値は、前記連続時間の第一の時間フレーム中のデータに該当するものである。さらに前記第一の統計計算の第一の計算結果を前記装置に表示させる。さらに前記工程を実行することが第一しきい値基準線を超えるか否かを前記装置に判定させる。前記第一しきい値基準線は、前記第一の統計計算に基づくものである。さらに前記工程が前記第二しきい値基準線を超えたと判定した場合、前記装置は第一の警告をユーザーに送信することができる。
【０００９】
前記第二実施形態の前記装置において、前記した複数の値からなるデータ集合を受け取ることは、前記連続時間にわたり周期的にサンプリングした数値を受け取ること該当する。
【００１０】
前記第二実施形態の装置において、さらに複数の値からなる第二の部分集合に対して第二の統計計算を前記装置に行わせる。前記第二のデータ部分集合の複数の値は、受け取ったすべての値からなる前記データ集合の一つの部分集合であり、前記第二のデータ部分集合の複数の値は、前記連続時間の第二の時間フレーム中のデータに該当するものである。前記装置は、さらに前記第二の統計計算の第二の計算結果を表示する。前記装置はさらに前記工程を実行することが第二しきい値基準線を超えるか否かを判定する。前記第二しきい値基準線は、前記第二の統計計算に基づくものである。前記装置はさらにさらに前記工程が前記第二しきい値基準線を超えたと判定した場合、第二の警告をユーザーに送信する。
【００１１】
前記第二実施形態の装置においては、前記装置にさらに第一の分布を表示させる。前記第一の分布は、前記連続時間の前記第一の時間フレーム内で各値が発生する頻度を図説する。
【００１２】
前記第二実施形態の装置においては、前記装置にさらに第二の分布を表示させる。前記第二の分布は、前記連続時間の前記第二の時間フレーム内で各値が発生する頻度を図説する。
【００１３】
第三実施形態によれば、コンピュータが読み取り可能な不揮発性の媒体上にコンピュータプログラムが具現化される。前記コンピュータプログラムはプロセッサを制御して、工程に関する複数の値からなるデータ集合を受け取ることを含むプロセスを実行させる。この値からなるデータ集合は、前記工程が連続時間にわたって行われている間に測定された複数の値に該当する。前記プロセスは複数の値からなる第一のデータ部分集合に対して第一の統計計算を行うことを含んでもよい。前記第一の部分集合の複数の値は、受け取ったすべての値からなる前記データ集合の一つの部分集合である。前記第一のデータ部分集合の複数の値は、前記連続時間の第一の時間フレームの複数の値に該当する。前記プロセスはさらに前記第一の統計計算の第一の計算結果を表示することを含んでもよい。前記プロセスはさらに前記工程を実行すると第一しきい値基準線を超えるか否かを判定することを含んでもよい。前記第一しきい値基準線は、前記第一の統計計算に基づくものである。前記プロセスはさらに前記特定の工程が前記第一しきい値基準線を超えたと判定された場合に、第一の警告をユーザーに送ることを含んでもよい。
【００１４】
前記第三の実施形態の前記コンピュータプログラムにおいて、前記した複数の値からなる前記データ集合を受け取ることは、前記連続時間にわたって周期的にサンプリングされた数値を受け取ることに該当する。
【００１５】
前記第三の実施形態の前記コンピュータプログラムにおいて、前記プロセスはさらに複数の値からなる第二のデータ部分集合に対して第二の統計計算を行うことを含んでもよい。前記第二のデータ部分集合の複数の値は、受け取ったすべての値からなる前記データ集合の一つの部分集合である。前記第二のデータ部分集合の複数の値は、前記連続時間の第二の時間フレームの複数の値に該当する。前記プロセスはさらに前記第二の統計計算の第二の計算結果を表示することを含んでもよい。前記プロセスはさらに前記工程を実行することが第二しきい値基準線を超えることになるか否かを判定することを含んでもよい。前記第二しきい値基準線は、前記第二の統計計算に基づくものである。前記プロセスはさらに前記特定の工程が前記第二しきい値基準線を超えたと判定された場合に、第二の警告をユーザーに送ることを含んでもよい。
【００１６】
前記第三の実施形態の前記コンピュータプログラムにおいて、前記プロセスはさらに第一の分布を表示することを含んでもよい。前記第一の分布は前記連続時間の前記第一の時間フレーム内で各値が発生する頻度を図説する。
【００１７】
前記第三の実施形態の前記コンピュータプログラムにおいて、前記プロセスはさらに第二の分布を表示することを含んでもよい。前記第二の分布は前記連続時間の前記第二の時間フレーム内で各値が発生する頻度を図説する。
【００１８】
第四実施形態による装置は、工程に関する複数の値からなるデータ集合を受け取る受信手段を含む。複数の値からなるデータ集合は連続時間内に前記工程が実行される間に測定された値に該当する。前記装置はさらに複数の値からなる第一のデータ部分集合に対して第一の統計計算を行う第一の実行手段を含む。前記第一のデータ部分集合の複数の値は、受け取ったすべての値からなる前記データ集合の一つの部分集合であり、前記第一のデータ部分集合の複数の値は前記連続時間の第一の時間フレームに属する複数の値に該当する。前記装置はさらに前記第一の統計計算の第一の計算結果を表示する第一の表示手段を含む。前記装置はさらに前記工程を行うことが第一のしきい値を超えることになるか否かを判定する第一の判定手段を含む。第一のしきい値基準線は前記第一の統計計算に基づく。前記装置は、さらに前記工程が第一のしきい値基準線を超えたと判定された場合に第一の警告をユーザーに送る第一の送信手段を含んでもよい。
【００１９】
前記第四実施形態の装置において、前記した複数の値からなるデータ集合を受け取ることは、前記連続時間内に周期的にサンプリングされた複数の値を受け取ることに対応する
【００２０】
前記第四実施形態の装置は、さらに複数の値からなる第二のデータ部分集合に対して第二の統計計算を行う第二の実行手段を含んでもよい。前記第二のデータ部分集合の複数の値は、受け取ったすべての値からなる前記データ集合の一つの部分集合であり、前記第二のデータ部分集合の複数の値は前記連続時間の第二の時間フレームに属する複数の値に該当する。前記装置はさらに前記第二の統計計算の第二の計算結果を表示する第二の表示手段を含んでもよい。前記装置はさらに前記工程を行うことが第二のしきい値を超えることになるか否かを判定する第二の判定手段を含んでもよい。第二のしきい値基準線は前記第二の統計計算に基づく。前記装置は、さらに前記工程が第二のしきい値基準線を超えたと判定された場合に第二の警告をユーザーに送る第二の送信手段を含んでもよい。
【００２１】
前記第四実施形態の装置はさらに第一の分布を表示する第三の表示手段を含んでもよい。前記第一の分布は前記連続時間の第一の時間フレーム内で各値が発生する頻度を表す。
【００２２】
前記第四実施形態の装置はさらに第二の分布を表示する第四の表示手段を含んでもよい。前記第二の分布は前記連続時間の第二の時間フレーム内で各値が発生する頻度を表す。
【図面の簡単な説明】
【００２３】
本願発明を正確に理解するために、添付図面を参照することが必要である。
【図１】図１は、一実施形態にしたがうモニタまたは表示装置により示されるユーザーインタフェースを図説する。
【図２】図２は、別の実施形態にしたがうモニタまたは表示装置により示されるユーザーインタフェースを図説する。
【図３】図３は、一実施形態にしたがう方法のフロー概略図である。
【図４】図４は、一実施形態にしたがう装置を図説する。
【図５】図５は、別の実施形態にしたがう装置を図説する。
【図６】図６は、一実施形態にしたがう装置を図説する。
【発明を実施するための形態】
【００２４】
本願発明の実施形態は、受け取った測定値に基づいてしきい値基準線を決定し、決定したしきい値基準線を用いて測定値を分析することに関する。本願発明の実施形態は、工程に関する複数の測定値／値からなるデータ集合を集める、または受け取るものでよい。前記複数の測定値／値は、数値を含むものでよい。ここで、「測定値」および「値」という語は本明細書中で互換的に用いることができる。一実施形態では、複数の値からなる前記データ集合は、連続時間にわたってサンプリングされた測定値に該当するものとすることができる。前記連続時間にわたる前記サンプリングは、周期的なサンプリングでもよいし非周期的なサンプリングでもよい。一実施形態においては、前記受け取ったデータの集合をサンプリングされた（例えば、ミリ秒単位で測定される）ネットワーク−装置間の応答時間の値とすることができる。一実施形態では前記受け取ったデータの集合をネットワーク−装置間の応答時間とすることができるが、他の実施形態の前記受け取ったデータの集合では他の測定値としてもよい。
【００２５】
測定値／値からなる前記データ集合を集めた／受け取った後、適切なアウトプットを決定するために、本願発明の実施形態では様々な統計計算を測定値／値からなる前記データ集合に対して行う。適切なアウトプットは複数の計算結果を含むことができる。また、適切なアウトプットは複数のしきい値基準線の推奨の集合を含むことができる。もしも、しきい値基準線を超える場合および／またはしきい値基準線上の場合、システムはユーザーに対してしきい値基準線を超えたこと、および／またはしきい値基準線上にあることを伝えて注意を喚起する。例えば、関係する工程の複数の値があるしきい値基準線を超えた場合、本願発明の実施形態では当該工程がそのしきい値基準線を超えたことをユーザーに警告する／知らせる。もしも、前記関係する工程の複数の値が別のしきい値基準線を超えた場合、本願発明の実施形態では当該工程がその別のしきい値基準線を超えたことをユーザーに警告する／知らせる。様々な警告／通知は問題の重大さの違いに対応する。
【００２６】
本願発明のある実施形態は、受け取った測定値／値のすべて（受け取ったすべての値からなるデータ集合）に基づいて前記した計算（計算結果を決定）を実行できる。本願発明の他の実施形態は、受け取った値の部分集合に基づいて計算を行うことができる。例えば、本願発明の実施形態は、受け取ったすべての値の範囲内の複数の特定の時間範囲に該当する特定の複数の値／測定値に対して統計計算を行うことができる。これらの複数の特定の値／測定値はすべての値からなるデータ集合の部分集合を構成する。複数の特定の時間範囲に対応する値／測定値に対して統計計算を実行することにより、本願発明の実施形態はすべての値／測定値の範囲内でのデータのパターンおよび／または不規則性をユーザーにより正確に教示することができる。
【００２７】
いかなるデータ集合が与えられても、本願発明の実施形態は最小値、最大値、平均値および標準偏差のような計算結果を提供できる。測定値を得る特定の時間範囲には、複数の時間範囲、ウィークデーの就業時間、夜間の時間および／またはウィークエンドの時間のすべてが含まれる。ただし、これらに限定されるものではない。平均値、最小値、最大値および標準偏差のような計算結果を提供することに加えて、本願発明の実施形態はさらに、統計的に意味のあるパーセンタイルレベルのような他の統計計算値を計算することができる。例えば、一つの実施形態では、９５％のパーセンタイルレベルを決定することができ、９５％の測定値がこの９５％のパーセンタイルレベルに該当する値以下になる。統計的に有意なパーセンタイルレベルは、計算された平均値および標準偏差にしたがって決定することができる。
【００２８】
本願発明の実施形態は、所定の予定にしたがって、（計算結果を作製するために）受け取った測定値からなるデータ集合に対して統計計算を行うことができる。（しきい値基準線の値を決定する）基となるデータが変化するにつれてしきい値基準線を動的に決定し変化させるために、この統計計算は所定の予定にしたがって行うことができる。詳細はいかに記載される。
【００２９】
例えば、（毎日のように)一定間隔でこの統計計算を実行／実施する本願発明の実施形態をユーザーが設定する。この周期的な実施の間隔は、例えば、時間基準、週基準、および／または月基準のような他の時間フレームに該当するものしてもよい。また、所定の標準偏差とともに所定の平均値に基づく動的しきい値基準線を用いる本願発明の実施形態をユーザーが設定する。この場合、動的しきい値基準線の値は例えば平均値＋（２×標準偏差）に一致する。しきい値基準線がどのように動的に変化させるかを説明すると、標準偏差が例えば５ｍｓで一定の状態で例えば平均値が１００ｍｓから１１０ｍｓに変わる場合、（ネットワーク−装置の応答時間の）しきい値基準線が１００ｍｓから１２０ｍｓに変化する。
【００３０】
本願発明の実施形態は、適用可能な場合、次のタイプの測定値／値に対して統計計算を実行できる。
・ＭＳＳＱＬ  −  平均ロック待ち時間
・ＭＳＳＱＬ  −  完全走査／秒
・ＭＳＳＱＬ  −  編集／再編集／秒
・Ｅｘｃｈａｎｇｅ  −  ＲＰＣ平均待機時間
・Ｅｘｃｈａｎｇｅ  −  コピー列長さ
【００３１】
前記したように、本願発明の実施形態は動的にしきい値基準線を決定することができる。前記したように、前記しきい値基準線の警告は、直近に受け取った測定値／値にしたがって動的に決定することができる。例えば、しきい値基準線を（平均＋（３×標準偏差））に設定し、計算された平均値と標準偏差がそれぞれ、１０と２であるとする。この場合、決定したしきい値基準線は１６である。この例では、しきい値基準線の決定後に１６または１６より大きい測定値／値を受け取ると、警告が起動される。しかし、もしも平均値と標準偏差がそれぞれ１１と３に変化すると、予定されたしきい値基準線の再計算がおこり、その後は２０またはそれ以上の値を受け取らないと限界の警告が起動されない。本願発明の実施形態はこの方法を用いて、変化する環境を考慮することが可能であり、本願発明の実施形態はデータの傾向を考慮して、複数の測定値／値からなる現在のデータ集合の平均値と標準偏差とともに警告の設定が動く。
【００３２】
図１は、一つの実施形態にしたがうモニタまたは表示装置によって示されるユーザーインタフェース１００を図説する。ユーザーインタフェース１００は、データ概略表１９２とデータ発生頻度チャート１７１とを含む。データ発生頻度チャート１７１はタブ１０１を介してアクセスできる。図１に示されているように、異なる複数の時間フレームを異なる色およびシンボルにより示すことができる。太陽シンボル１１０のようなシンボルを月曜日から金曜日までの午前８時から午後５時の時間範囲に対応させ、月シンボル１２０を太陽時間に含まれていない夜時間範囲を対応させることができる。「すべての時間」の指定１３０は一日のうちのすべての時間に対応する。シンボルが一度選択されると、統計計算は選択されたシンボルに対応する時間にサンプリングされた測定値に基づく。
【００３３】
インタフェース１００はデータ発生頻度チャート１７１を含むことができる。データ発生頻度チャート１７１は異なる様々な分布を説明できる。例えば、分布１６０は太陽シンボル１１０の時間範囲（月曜日から金曜日までの午前８時から午後５時）にサンプリングされた測定値を反映する。各分布は各値が対応する時間範囲に何回発生したかを表している。例えば、図１の例で言えば、月曜日から金曜日までの午前８時から午後５時の時間範囲でサンプリングされたすべての値（すなわち、応答時間）は０ｋから５ｋまでの範囲の値を含み、これらの値の各々が０回から２５０回までの回数発生したことを示している。分布１６０で言えば、最も多く発生した値は約２ｋの応答時間であり、同値は約１２５回発生した。分布１７０は、月シンボル１２０に対応する時間のような太陽時間に含まれない時間範囲にサンプリングされた値を反映する。分布１８０は、「すべての時間」指定１３０に対応する値を反映する。
【００３４】
データ概略表１９２は、様々な異なる時間範囲の各々について前記した計算結果を表示する。前記したように、これらの計算結果には、例えば最小値、最大値、標準偏差値、平均値および（平均値から複数の標準偏差分離れた値のような）統計的に意味のある値を含んでよい。データ概略表１９２は、シンボル／指定１１０、１２０、１３０の前に説明した時間範囲のそれぞれに対する計算結果を表示する。データ概略表１９２は、計算結果を小さい値から大きい値の順に、例えば（平均−３σ）、（平均−２σ）、（平均−σ）、平均、（平均＋σ）、（平均＋２σ）、（平均＋３σ）のように表示する。他の実施形態は平均から「３σ」よりも大きいまたは小さい計算結果を含むことができる。
【００３５】
データ概略表１９２は、さらに計算結果の中にしきい値と一致するものがあるか否かについて示すことができる。前記したように、しきい値の一つのタイプは「警告しきい値」とすることができる。しきい値の他のタイプは「限界しきい値」とすることができる。
【００３６】
図１の例の中で、データ概略表１９２は、（平均から２σの）「３９３３」の値が「すべての時間」の時間範囲に対して「警告」しきい値であることを示している。データ概略表１９２は、さらに（平均から３σの）「４６６７」の値が「すべての時間」の時間範囲に対して「限界」しきい値であることを示している。
【００３７】
これらしきい値のそれぞれはデータ発生頻度チャート１７１中に表示してもよい。これらのしきい値を表示されたチャート中で境界として表わすこともできる。例えば、「３９３３」という「警告」値を表示されたデータ発生頻度チャート１７１中で境界１９０として表示できる。「４６６７」という「限界」値を表示されたデータ発生頻度チャート１７１中で境界１９１として表示できる。
【００３８】
前記内容を考慮すれば、本願発明の実施形態のユーザーは初期設定のベース線しきい値を用いるか、受け取った測定値／値に基づいてユーザー自身の設定を入力することができる。さらにユーザーはこのような構成にしたがうデータを見て監視できる。前記内容を考慮すれば、本願発明の実施形態は受け取った測定値／値がどのように表示されるか、さらにどれくらいの頻度で受け取った測定値／値が警戒レベルおよび限界レベルの警告を起動させるかについてのより明確なイメージをユーザーに提供することができる。
【００３９】
窓１９４はさらにデータ概略表１９２の前記した統計計算値が最後にいつ計算されたか／更新されたかについて、ユーザーに知らせる。窓１９４の例を参照すると、統計計算値は７月１３日の午前１１時５０分に最後に計算され／更新されている。窓１９４はさらにさらに特定の連続時間を示し、その連続時間の間に値がサンプリングされる。ある実施形態においては、窓１９４によりユーザーはいつ、そして、どれくらい頻度で統計計算が行うかの予定をたてることができる。
【００４０】
インタフェース１００はさらにユーザーに現在のしきい値の設定を定義させる窓１９３を含んでもよい。例えば、複数の値が、しきい値基準線として用いられる所定の指定値「よりも大きく」なると警告しきい値を超えたとユーザーは判定できる。窓１９３によって、複数の値が別の指定値「よりも大きい」ときに、限界しきい値を超えたとユーザーは判定することができる。窓１９３によって、さらに複数の値が複数の指定値「と等しい」か、または、「よりも大きい」とき、複数のしきい値を超えたとユーザーは判定できる。  
【００４１】
図2は別の実施形態にしたがうモニタまたは表示装置によって示されるユーザーインタフェース１００を図説する。ユーザーインタフェース１００はデータ概略表とデータ発生頻度チャート２０４、２０５とを含むことができる。データ発生頻度チャート２０４、２０５はタブ１０２を介してアクセスできる。データ発生頻度チャート２０５は時間内に測定された値のチャートを図説する。図２の例では、測定された値はＣＰＵ使用の値に該当するものでる。データ発生頻度チャート２０４、２０５は図表化された「平均ＣＰＵ」２１０の値、または図表化された「最小／最大ＣＰＵ」の値をさらに含むことができる。
【００４２】
図３は本願発明の所定の実施形態にしたがう方法の論理フロー概略図を図説する。図３で図説される方法は、ステップ３１０で工程に関する複数の値からなるデータ集合を受け取る。この複数の値からなるデータ集合は連続時間内に工程が実行される間に測定された値に該当する。本方法は、ステップ３２０で複数の値からなる第一のデータ部分集合に対して第一の統計計算を行う。第一のデータ部分集合の複数の値は、受け取ったすべての値からなる前記データ集合の一つの部分集合である。第一のデータ部分集合の複数の値は前記連続時間である第一の時間フレームに属する複数の値に該当する。本方法は、ステップ３３０の第一の統計計算の第一の計算結果を表示することをさらに含む。本方法は、ステップ３４０の前記工程を行うことが第一のしきい値を超えることになるか否かを判定することを含む。第一のしきい値基準線は第一の統計計算に基づく。本方法は、さらにステップ３５０の前記工程が第一のしきい値基準線を超えたと判定された場合に第一の警告をユーザーに送ることを含む。
【００４３】
図４は一実施形態にしたがう装置４００を図説する。一実施形態では、装置４００をコンピュータシステムとしてよい。装置４００は、工程に関する複数の値からなるデータ集合を受け取る受信ユニット４１０を含む。複数の値からなるデータ集合は連続時間内に工程が実行される間に測定された値に対応する。装置４００はさらに複数の値からなる第一のデータ部分集合に対して第一の統計計算を行う実行ユニット４２０を含む。第一のデータ部分集合の複数の値は、受け取ったすべての値からなる前記データ集合の一つの部分集合である。第一のデータ部分集合の複数の値は前記連続時間である第一の時間フレームに属する複数の値に対応する。装置４００は、さらに第一の統計計算の第一の計算結果を表示する表示ユニット４３０を含む。装置４００は、さらに前記工程を行うことが第一のしきい値を超えることになるか否かを判定する判定ユニット４４０を含む。第一のしきい値基準線は第一の統計計算に基づく。装置４００は、さらに前記工程が第一のしきい値基準線を超えたと判定された場合に第一の警告をユーザーに送る送信ユニット４５０を含む。
【００４４】
図５は別の実施形態にしたがう装置５００を図説する。装置５００は工程に関する複数の値からなるデータ集合を受け取る受信手段５１０を含む。複数の値からなるデータ集合は連続時間内に前記工程が実行される間に測定された値に対応する。装置５００はさらに複数の値からなる第一のデータ部分集合に対して第一の統計計算を行う第一の実行手段５２０を含む。第一のデータ部分集合の複数の値は、受け取ったすべての値からなる前記データ集合の一つの部分集合であり、第一のデータ部分集合の複数の値は前記連続時間の第一の時間フレームに属する複数の値に該当する。装置５００はさらに第一の統計計算の第一の計算結果を表示する第一の表示手段５３０を含む。装置５００はさらに前記工程を行うことが第一のしきい値を超えることになるか否かを判定する第一の判定手段５４０を含む。第一のしきい値基準線は第一の統計計算に基づく。装置５００は、さらに前記工程が第一のしきい値基準線を超えたと判定された場合に第一の警告をユーザーに送る第一の送信手段５５０を含んでもよい。
【００４５】
図６は本願発明の実施形態にしたがう装置１０を図説する。装置１０は情報を処理し、命令または作業を実行するプロセッサ２２を含むことができる。プロセッサ２２は汎用プロセッサでもよいし、専用のプロセッサのいずれでもよい。図６中には単一のプロセッサが示されているが、他の実施形態によれば複数のプロセッサを用いることができる。プロセッサ２２は、例えば、汎用コンピュータ、専用コンピュータ、マイクロコンピュータ、デジタルシグナルプロセッサ（ＤＳＰｓ）、現場プログラム可能ゲートアレイ（ＦＰＧＡｓ）、特定用途向け集積回路（ＡＳＩＣｓ）およびマルチ−コアプロセッサアーキテクチャに基づくプロセッサを一つ以上含むことができる。
【００４６】
装置１０はさらにプロセッサ２２と連結され、情報およびプロセッサ２２が実行可能な命令を記憶するメモリ１４を含むことができる。メモリ１４は一つ以上のメモリとすることができ、ローカル応用環境に適したメモリなら何でもよい。メモリ１４は半導体ベースのメモリ装置、磁気メモリ装置およびシステム、光学メモリ装置およびシステム、固定メモリ、並びに取り外し可能メモリのような適切な揮発性データメモリまたは不揮発性データメモリのいずれを用いても実装できる。例えば、メモリ１４はランダムアクセスメモリ（ＲＡＭ）、リードオンリメモリ（ＲＯＭ）、磁気ディスクもしくは光学ディスクのような静的記憶装置、または持続的な機械もしくはコンピュータ読み取り可能な媒体のいずれの組み合わせを含むものでもよい。メモリ１４に記憶された命令は、プロセッサ２２によって実行されると本明細書に記載された作業を装置１０が実行できるようにするプログラム命令またはコンピュータプログラムコードを含むものでよい。
【００４７】
装置１０は。さらに信号および／またはデータを、装置１０が受信するとともに装置１０から送信するのに用いる一台以上のアンテナを含むことができる。装置１０はさらに送受信機２８を含むことができ、送受信機２８は、情報を変調して搬送波に載せて（複数の）アンテナにより送信するとともに、アンテナを介して受信した情報を復調する。複調した情報は装置１０の他の素子がさらに処理する。他の実施形態においては、送受信機２８は信号またはデータを直接送信および受信することができる。
【００４８】
プロセッサ２２は、アンテナのゲイン／位相のパラメータを予めコード化する機能、通信メッセージを構成する個々のビットをコード化およびデコード化する機能、情報を初期化する機能、通信ソースの管理に関係するプロセスを制御しさらに装置１０を全体的に制御する機能を含む装置１０の動作に関連する複数の機能を実行することができる。ただし、これらの機能に限られるわけではない。
【００４９】
所定の実施形態では、メモリ１４はプロセッサ２２により実行されて機能を発揮するソフトウェアモジュールを記憶する。このようなソフトウェアモジュールは、装置１０に対してオペレーティングシステム機能を与えるオペレーティングシステム１５を含むものにできる。メモリ１４は、装置１０に追加機能を与える、さらに一つ以上のアプリケーションまたはプログラムのような機能モジュール１８を記憶することができる。装置１０の構成要素はハードウェアで実装するか、またはハードウェアとソフトウェアの適切な組み合わせとして実装することができる。
【００５０】
以上説明した本願発明の特徴、利点および特質は一つ以上の実施形態において任意の適切な態様で組み合わせることができる。本願発明に関連する技術の当業者ならば、特定の実施形態の一つ以上の所定の特徴または利点がなくても本願発明を実施できることがわかる。他の例では、本願発明のすべての実施形態にふくまれないかもしれない、ある実施形態では追加する特徴または利点がある場合がある。前記説明した本願発明では、異なる順番で複数の手順で、および／または、前記説明したハードウェア要素と異なる構成のハードウェア要素を用いて、実行してもよいことが当業者ならばすぐにわかる。したがって、好ましい実施形態に基づいて本願発明を説明したが、本願発明の技術的範囲内で所定の変形、変更および代替構造が可能であることは当業者には明らかである。
【図３】
2016020909.tif 000003
【図４】
2016020909.tif 000004
【図５】
2016020909.tif 000005
【図６】
2016020909.tif 000006
【図１】
2016020909.tif 000007
【図２】
2016020909.tif 000008
【外国語明細書】
2016020909000001.pdf